(57)【特許請求の範囲】
【請求項１】
昇降路内を互いに反対方向へ昇降される乗りかご及びカウンタウェイトのうち、上記カウンタウェイトに設けられているエレベータ用足場装置であって、
上記昇降路の高さ方向に沿って上記乗りかごを見たとき、上記乗りかごの領域から外れた位置で、上記カウンタウェイトに固定された固定床部、及び
上記乗りかごと対向する上記固定床部の端部に設けられ、上記昇降路の高さ方向に沿って上記乗りかごを見たとき、上記乗りかごの領域に重なる突出状態と、上記乗りかごの領域から外れる退避状態との間で変化可能になっている可動床部
を備えている
エレベータ用足場装置。
【請求項２】
上記固定床部から上記乗りかご及び上記カウンタウェイトの昇降操作を可能とするように上記カウンタウェイトに設けられ、上記カウンタウェイトを所望の位置に昇降移動させる移動信号をエレベータの運行制御を行う制御装置に送信する錘用昇降スイッチ、及び
上記カウンタウェイトに設けられ、上記可動床部が上記退避状態であるときにＯＮ状態となり、退避状態以外の時にＯＦＦ状態となる信号を、上記制御装置に送信する安全回路部
をさらに備え、
上記制御装置は、上記安全回路部から受信した上記信号がＯＮ状態のときには、上記錘用昇降スイッチからの上記移動信号に応じて上記カウンタウェイトの昇降移動を実行し、上記信号がＯＦＦ状態のときには、上記錘用昇降スイッチからの上記移動信号に応じた上記カウンタウェイトの昇降移動を禁止する
請求項１に記載のエレベータ用足場装置。
【請求項３】
上記固定床部に乗り込むときに用いる梯子本体と、上記カウンタウェイトに設けられ、上記梯子本体を収納可能な収納部とを有する収納式梯子をさらに備えている
請求項１または請求項２に記載のエレベータ用足場装置。
【発明の詳細な説明】
【技術分野】
【０００１】
この発明は、エレベータの昇降路内で行われる昇降路内機器の据付及び保守点検作業と、配線作業と、清掃作業とに用いられる作業員の足場となるエレベータ用足場装置に関するものである。
【背景技術】
【０００２】
一般的に、エレベータの昇降路内で行われる作業は、乗りかごの上部に設置された作業床に乗った作業員により行われる。従って、昇降路内のレイアウトを検討するとき、昇降路内機器や配線は、作業床に乗った作業員がアクセスできるように、乗りかごから近い位置に配置する必要がある。
【０００３】
しかしながら、昇降路内に設置する昇降路内機器の数が多い場合、建築躯体の構造によっては、昇降路内機器や配線を所望の位置に配置できない恐れがある。即ち、昇降路内機器や配線が、乗りかごから離れた位置に配置せざるを得ない結果となる。この結果、作業員は、乗りかごから離れた位置で作業を行うことになり、無理な態勢での作業を強いられる場合がある。
【０００４】
昇降路内での作業により主索を交換するために、乗りかごとカウンタウェイトとを対峙させて停止させた後、作業員が、乗りかごの上から作業することで、カウンタウェイト上にエレベータ昇降路内作業足場装置を組み立てる技術が、従来から知られている（例えば、特許文献１参照）。
【０００５】
特許文献１に開示されたエレベータ昇降路内作業足場装置は、先ず、乗りかごの上からの作業により、カウンタウェイト上にベース部材を固定し、ベース部材の下端部に手摺と足場とを有する枠体を設置し、ベース部材の上端部に天井となる天井部材を設置する。このとき、足場装置は、折りたたまれた状態でカウンタウェイトに取り付けられている。その後、作業員は、ピットまで下げたカウンタウェイトに梯子を固定し、梯子上からカウンタウェイトに取り付けられた足場装置を展開する。
【先行技術文献】
【特許文献】
【０００６】
【特許文献１】特開２００１−３９６４６号公報
【発明の概要】
【発明が解決しようとする課題】
【０００７】
しかしながら、従来技術には、以下のような課題がある。
特許文献１に開示されているエレベータ昇降路内作業足場装置では、組立にかかる工程数が多い。このため、作業員の手間がかかる上に、足場装置の組立作業に時間がかかってしまうという問題があった。また、作業員は、足場装置の組立作業を、乗りかごとカウンタウェイトとを対峙させた状態、即ち、昇降路の中間付近で行うことになる。このため、高所での作業になってしまい、作業の効率化が図れないこととなる。
【０００８】
また、乗りかごにガラス製の窓を有する展望用エレベータにおいては、乗りかごのガラス部分に作業員が乗ることができない。このため、乗りかご上の作業員とカウンタウェイトとの間の距離が広くなってしまう。このような場合も、作業員は、昇降路の中間付近で作業を行う必要があり、作業の効率化が図れないという問題があった。
【０００９】
さらに、特許文献１では、昇降路内の主索の交換作業を想定しており、昇降路内全ての作業性が向上するわけでは無い。例えば、足場装置を展開した場合、乗りかごとカウンタウェイトとは、すれ違うことができなくなるため、展望用エレベータの乗りかごの窓の清掃作業はできない。
【００１０】
この発明は、上記のような課題を解決するためになされたものであり、足場装置の組立作業を高所で行うことなく、昇降路内での全ての作業性の向上を図ることができるエレベータ用足場装置を得ることを目的とする。
【課題を解決するための手段】
【００１１】
この発明によるエレベータ用足場装置は、昇降路内を互いに反対方向へ昇降される乗りかご及びカウンタウェイトのうち、カウンタウェイトに設けられているエレベータ用足場装置であって、昇降路の高さ方向に沿って乗りかごを見たとき、乗りかごの領域から外れた位置で、カウンタウェイトに固定された固定床部、及び乗りかごと対向する固定床部の端部に設けられ、昇降路の高さ方向に沿って乗りかごを見たとき、乗りかごの領域に重なる突出状態と、乗りかごの領域から外れる退避状態との間で変化可能になっている可動床部を備えている。
【発明の効果】
【００１２】
この発明によれば、エレベータ用足場装置は、カウンタウェイトに設けられた固定床部と、固定床部に設けられ、退避状態と突出状態との間で変化可能な可動床部とを有している。これにより、作業員は、昇降路内で作業を行うとき、カウンタウェイトに常設された固定床部に乗り込むので、高所で足場装置の組立作業を行うことを無くすことができる。
【００１３】
また、固定床部及び退避状態の可動床部は、昇降路の高さ方向に沿って乗りかごを見たとき、乗りかごの領域から外れている。一方、突出状態の可動床部は、昇降路の高さ方向に沿って乗りかごを見たとき、乗りかごの領域に重なっている。これにより、昇降路内での全ての作業に応じて可動床部を退避状態から突出状態に変化させることで、昇降路内での全ての作業性の向上を図ることができる。
【図面の簡単な説明】
【００１４】
【図１】本発明の実施の形態１におけるエレベータ用足場装置を備えたエレベータを示す全体図である。
【図２】図１のエレベータを上面から見た状態を示す上面視図である。
【図３】本発明のカウンタウェイト及び足場装置を示す模式図である。
【図４】図３のカウンタウェイト及び足場装置を示す側面図である。
【発明を実施するための形態】
【００１５】
以下、本発明のエレベータ用足場装置の好適な実施の形態につき図面を用いて説明する。
【００１６】
実施の形態１．
図１は、本発明の実施の形態１におけるエレベータ用足場装置を備えたエレベータを示す全体図である。また、図２は、図１のエレベータを上面から見た状態を示す上面視図である。本実施の形態１では、ガラス製の窓を有する昇降路及び乗りかごを用いた展望用エレベータを例に説明する。以下、図１の矢印Ａ方向を昇降路１の高さ方向、図２の矢印Ｂ方向を昇降路１の幅方向、図２の矢印Ｃ方向を昇降路１の奥行き方向として説明する。
【００１７】
図１に示すように、昇降路１の上部に設けられた機械室には、綱車を有する巻上機２と、巻上機２と距離を置いて配置されたそらせ車３と、エレベータの運行を制御する制御装置４とが設けられている。また、巻上機２及びそらせ車３には、共通の主索５が巻き掛けられている。主索５としては、例えば、ワイヤ、ロープ、または、ベルトが挙げられる。
【００１８】
昇降路１内には、主索５によって、乗りかご６及びカウンタウェイト７が吊り下げられている。乗りかご６は、巻上機２の駆動力によって、図２に示す一対のかご用ガイドレール８ａ、８ｂに沿って昇降路１内を昇降される。また、カウンタウェイト７は、巻上機２の駆動力によって、図２に示す一対の錘用ガイドレール９ａ、９ｂに沿って、乗りかご６と反対方向に昇降路１内を昇降される。巻上機２の動作は、機械室内に設けられた制御装置４により制御される。
【００１９】
乗りかご６の上部には、作業員が昇降路１内で作業を行う際の足場になるかご用作業床１０が設けられている。作業員が昇降路１内で行う作業には、例えば、昇降路内機器の据付及び保守点検作業、配線作業、及び清掃作業が挙げられる。かご用作業床１０は、昇降路１の高さ方向に沿って乗りかご６を見たとき、乗りかご６に設けられたガラス製のかご窓部６ａを避けて、乗りかご６の上部に設けられている。
【００２０】
また、乗りかご６には、制御装置４と信号の送受信を行うテールコード１１が接続されている。なお、図１及び図２には、制御装置４、乗りかご６、及びテールコード１１の接続関係は、図示されていない。
【００２１】
一対のかご用ガイドレール８ａ、８ｂは、昇降路１の幅方向について互いに対向して設けられると共に、昇降路壁に固定されている。また、図２では、一方のかご用ガイドレール８ａにかご側調速機ロープガイド１２が設けられ、他方のかご用ガイドレール８ｂにインダクタプレート１３が設けられている場合を例示している。
【００２２】
かご側調速機ロープガイド１２は、機械室に設置された図示しない調速機に巻掛けられている調速機ロープが、地震時の揺れで昇降路１内の突起物に引っ掛かることを防止するために設けられている。図２において、かご側調速機ロープガイド１２は、昇降路１の奥行き方向について、かご用ガイドレール８ａの両端部から突出する一対の取付腕１４ａ、１４ｂのうち、かご出入口１５から離れている取付腕１４ｂに設けられている。
【００２３】
インダクタプレート１３は、乗りかご６の位置検出用に設けられている。図２において、インダクタプレート１３は、昇降路１の奥行き方向について、かご用ガイドレール８ｂの両端部から突出する一対の取付腕１４ｃ、１４ｄのうち、かご出入口１５から離れている取付腕１４ｄに設けられている。
【００２４】
図１に示すように、取付腕１４ａ、１４ｂ、１４ｃ、１４ｄは、それぞれ昇降路１の高さ方向について、互いに距離を置いて複数設けられている。
【００２５】
一対の錘用ガイドレール９ａ、９ｂは、昇降路１の幅方向について互いに対向して設けられているとともに、昇降路１の奥行き方向について、かご出入口１５から最も離れた昇降路壁に固定されている。また、図２では、一方の錘用ガイドレール９ｂに錘側調速機ロープガイド１６が設けられている。
【００２６】
錘側調速機ロープガイド１６は、かご側調速機ロープガイド１２と同様で、カウンタウェイト７側に設けられた調速機ロープが、地震時の揺れで昇降路１内の突起物に引っ掛かることを防止するために設けられている。
【００２７】
また、昇降路１内には、主索５、テールコード１１、調速機ロープの他にも、複数の配線ケーブル１７が、昇降路１の高さ方向に沿って配置されている。図２では、かご用ガイドレール８ｂが固定されている側の昇降路壁のかご出入口１５側に、複数の配線ケーブル１７が、配置されている。
【００２８】
ここで、かご用作業床１０は、かご窓部６ａを避けて設けられているので、昇降路１の奥行き方向についてかご用作業床１０よりもかご出入口１５から離れた部分、即ち、乗りかご６の後方の昇降路内機器に関して、作業員が作業を行うことが困難な場合がある。なお、昇降路内機器とは、昇降路１内に設置され、エレベータの通常運転に関わる機器を指している。例えば、主索５、乗りかご６、カウンタウェイト７、テールコード１１、かご側調速機ロープガイド１２、インダクタプレート１３、及び配線ケーブル１７が挙げられる。
【００２９】
そこで、本発明では、カウンタウェイト７にエレベータ用足場装置２０が設けられている。以下の説明では、エレベータ用足場装置２０のことを、単に足場装置２０と称す。図３は、本発明のカウンタウェイト７及び足場装置２０を示す模式図である。また、図４は、図３のカウンタウェイト７及び足場装置２０を示す側面図である。
【００３０】
一般的に、カウンタウェイト７は、カウンタウェイト枠７０と、カウンタウェイト枠７０に支持され、乗りかご６の重量に応じて調整された複数枚のカウンタウェイト片７１とを有している。また、カウンタウェイト７の下端部には、カウンタウェイト非常止め７２が設けられている。本発明では、カウンタウェイト７に足場装置２０を取り付けることで、足場装置２０の重量が、カウンタウェイトとして加算されることとなる。従って、カウンタウェイト片７１は、足場装置２０の重量を考慮した枚数に設定されている。
【００３１】
カウンタウェイト枠７０は、昇降路１の高さ方向について互いに距離を置いて配置された上枠７０ａ及び下枠７０ｂと、上枠７０ａ及び下枠７０ｂの端部間を繋ぐ一対の縦枠７０ｃとを有している。複数のカウンタウェイト片７１は、一体に固定された後、下枠７０ｂ及び一対の縦枠７０ｃのうちの一方に固定される。
【００３２】
足場装置２０は、固定床部２１と、可動床部２２と、収納式梯子２３と、錘用昇降スイッチ２４と、安全回路部２５とを有している。
【００３３】
固定床部２１は、カウンタウェイト片７１が固定されているカウンタウェイト枠７０及びカウンタウェイト片７１の上端部に固定されている。また、固定床部２１は、昇降路１の奥行き方向について、乗りかご６とカウンタウェイト７との間、または、カウンタウェイト７と昇降路壁との間のうち、広い空間が確保できる側に突出して設置される。
【００３４】
なお、固定床部２１は、乗りかご６とカウンタウェイト７との間及びカウンタウェイト７と昇降路壁との間の両方の空間に突出して設けられていてもよい。ただし、昇降路１の奥行き方向について、乗りかご６とカウンタウェイト７とを対向させたとき、固定床部２１は、乗りかご６に接触しないように設けられている。
【００３５】
図１に示すように、本実施の形態１では、固定床部２１が、昇降路１の奥行き方向について、カウンタウェイト７と昇降路壁との間に突出するようにカウンタウェイト７に取り付けられている。また、昇降路１の奥行き方向について、乗りかご６と対向する固定床部２１の端部は、カウンタウェイト７の端部と同じ位置にくるように固定されている。また、固定床部２１は、作業員が乗ることが可能になっている固定床２１０と、作業員の手摺になる固定手摺２１１と、を有している。
【００３６】
固定手摺２１１は、固定床２１０と乗りかご６とが対向する部分を除いて、固定床２１０の周囲を囲むように設けられている。固定手摺２１１は、昇降路１の高さ方向について固定床２１０から距離を置いて配置された手摺部２１１ａ、及び昇降路１の高さ方向について手摺部２１１ａと固定床２１０とを繋ぐ柵部２１１ｂで構成されている。
【００３７】
図２に示すように、本実施の形態１では、固定床部２１が矩形の板状になっているので、手摺部２１１ａは、固定床２１０の３辺を囲むように設けられている。固定手摺２１１は、作業員が誤って固定床部２１から落下することを防止する落下防止柵の機能も有している。
【００３８】
可動床部２２は、乗りかご６と対向する固定床部２１の端部に回動可能に取り付けられているとともに、縦枠７０ｃに沿って折りたたみ可能になっている。また、可動床部２２は、後述する第１回動機構部２６及び第２回動機構部２７により、縦枠７０ｃに沿って折りたたまれた退避状態（図４のＤ）から、作業員の作業床になる突出状態（図４のＥ）との間で変化可能になっている。
【００３９】
可動床部２２は、可動床２２０と、可動手摺２２１と、可動柵部２２２と、を有している。図４に示すように、可動床部２２が退避状態であるとき、可動床２２０、可動手摺２２１、及び可動柵部２２２は、全て同一平面状に折りたたまれた状態になっている。また、退避状態である可動床部２２は、手摺部２１１ａが設けられていない部分の固定床２１０の手摺及び落下防止柵の機能を有している。
【００４０】
なお、退避状態において可動床２２０、可動手摺２２１、及び可動柵部２２２は、同一平面状に折りたたまれた状態に限るものではなく、昇降路１の高さ方向に沿って乗りかご６を見たとき、乗りかご６の領域に重ならない範囲であれば、ずれていてもよい。
【００４１】
可動床２２０は、矩形の板状になっており、固定手摺２１１で囲まれていない固定床２１０に設けられた第１回動機構部２６を回動軸として、縦枠７０ｃに向かって回動可能になっている。また、昇降路１の幅方向について、可動床２２０の長さは、固定床２１０の長さと同じになるように設定されている。
【００４２】
図４では、第１回動機構部２６は、固定床２１０上に設けられている。また、第１回動機構部２６は、昇降路１の幅方向について、固定床２１０の両端部に設けられている。従って、図３に示すように、第１回動機構部２６は、２つ設けられていることになる。なお、第１回動機構部２６は、可動床２２０を縦枠７０ｃに向かって回動可能にする機構のものであれば、特に制限されない。
【００４３】
また、可動床２２０は、退避状態では、縦枠７０ｃと平行になっており、昇降路１の奥行き方向について、乗りかご６と対向する退避状態の可動床２２０の端部は、カウンタウェイト７の端部よりも縦枠７０ｃに近い位置に配置されている。また、可動床２２０は、突出状態では、縦枠７０ｃと垂直になっており、昇降路１の奥行き方向について、突出状態における可動床２２０の縦枠７０ｃから離れた端部は、乗りかご６と対向するカウンタウェイト７の端部よりも乗りかご６側に配置されている。なお、昇降路１の高さ方向に沿って乗りかご６を見たとき、突出状態の可動床２２０は、乗りかご６の領域に重なっている。
【００４４】
可動手摺２２１は、縦枠７０ｃ及び収納式梯子２３の収納部２３１の側面に設けられた第２回動機構部２７を回動軸として、縦枠７０ｃに対して回動可能になっている。なお、収納部２３１については、後述する。また、可動手摺２２１は、昇降路１の高さ方向について、固定床２１０から距離を置いて配置されている。可動手摺２２１は、可動柵部２２２を介して可動床２２０と接続されており、可動床２２０の回動に伴って同時に回動する。
【００４５】
図４では、第２回動機構部２７は、可動床部２２を突出状態にしたとき、昇降路１の高さ方向について手摺部２１１ａと同じ位置に可動手摺２２１がくるように、縦枠７０ｃに取り付けられている。従って、可動手摺２２１は、可動床２２０が突出状態に移動したとき、昇降路１の高さ方向について手摺部２１１ａと同じ位置に設けられている。なお、第２回動機構部２７は、可動手摺２２１が縦枠７０ｃに向かって回動可能にする機構のものであれば、特に制限されない。
【００４６】
可動手摺２２１は、突出状態の可動床２２０の周囲のうち、第１回動機構部２６により固定床２１０に固定された部分を除く部分を囲むように設けられている。本実施の形態１では、可動床２２０が矩形の板状になっているので、可動手摺２２１は、可動床２２０の３辺を囲むように設けられている。
【００４７】
可動柵部２２２は、縦枠７０ｃから最も離れた可動床２２０の端部と、縦枠７０ｃから最も離れた可動手摺２２１の端部とを繋いでいる。また、可動柵部２２２は、縦枠７０ｃと平行な状態を保持したまま、昇降路１の奥行き方向について、縦枠７０ｃに近づいたり離れたりすることが可能になるように、可動床２２０の端部及び可動手摺２２１の端部に対して回動可能に取り付けられている。
【００４８】
従って、可動床部２２は、可動床２２０と可動柵部２２２との接続部を、可動床２２０と可動柵部２２２とが直線状になるように開き、可動手摺２２１と可動柵部２２２との接続部を、可動手摺２２１と可動柵部２２２の一部とが重なるように折り曲げることで、全て同一平面状に折りたたむことが可能になっている。
【００４９】
なお、図示していないが、縦枠７０ｃと可動手摺２２１とには、可動床部２２を退避状態に保持することが可能な保持機構が設けられている。保持機構には、例えば、永久磁石が挙げられる。
【００５０】
収納式梯子２３は、作業員が、昇降路１のピット面から固定床部２１に乗り込むときに用いる。乗りかご６の上部に設けられたかご用作業床１０には、かご出入口１５から乗り込むことができるが、固定床部２１には、かご出入口１５から乗り込むことができない。そこで、作業員は、カウンタウェイト７を昇降路１のピットまで降下させた後、ピット面から固定床部２１に乗り込む。
【００５１】
しかし、高層ビルにおいては、ピット面からカウンタウェイト７までの距離が数メートル離れていることがあり、専用の足場が無ければ、乗り込むことが困難である。そこで、本発明は、収納式梯子２３をカウンタウェイト７に内蔵する構造になっている。
【００５２】
収納式梯子２３は、上枠７０ａ及び下枠７０ｂに沿う方向について、カウンタウェイト片７１と縦枠７０ｃとの間に設けられている。収納式梯子２３は、梯子本体２３０と、梯子本体２３０を収納する収納部２３１とを有している。図３に示すように、本実施の形態１では、梯子本体２３０は、折りたたみ式ではない直線状ものを用いているが、折りたたみ式の梯子でもよい。
【００５３】
収納部２３１は、下端部が開放された断面略Ｕ字型のケースになっている。また、収納部２３１は、縦枠７０ｃに固定されている。なお、収納部２３１の内部には、梯子本体２３０を誘導する誘導レールが設けられていてもよい。また、収納部２３１は、下端部が開放された筒状のケースでもよい。
【００５４】
梯子本体２３０は、作業員がピット面からフックの付いた棒状の工具で容易に収納部２３１から引き出せるような構造になっている。また、図示していないが、梯子本体２３０の下端部には、収納部２３１に収納したときに、収納部２３１と固定される落下防止用の施錠装置が設けられている。施錠装置には、例えば、梯子本体２３０に設けられた溝部を収納部２３１に設けられた突起部にはめ込む構造が挙げられる。
【００５５】
また、図示していないが、梯子本体２３０には、梯子本体２３０が収納部２３１から急に飛び出てくることを防止するダンパーも設けられている。
【００５６】
錘用昇降スイッチ２４は、乗りかご６のかご用作業床１０での作業と同様に、作業員が固定床部２１に乗ったまま、昇降路１内での足場装置２０の移動を可能にしている。図３では、錘用昇降スイッチ２４は、縦枠７０ｃに設けられている。錘用昇降スイッチ２４は、設計時に決定される。なお、錘用昇降スイッチ２４は、作業員が押すことが可能な位置であればよく、例えば、固定手摺２１１に設置されていてもよい。
【００５７】
錘用昇降スイッチ２４への電源供給及び信号の送受信は、テールコード２８を介して制御装置４により制御される。即ち、錘用昇降スイッチ２４と制御装置４とは、乗りかご６と同様に、テールコード２８により接続されている。
【００５８】
なお、錘用昇降スイッチ２４への電源供給は、蓄電池が用いられていてもよい。また、錘用昇降スイッチ２４と、制御装置４とは、無線式送受信機により通信可能になっていてもよい。
【００５９】
安全回路部２５は、可動床部２２が突出状態にあるときに、作業員が誤って錘用昇降スイッチ２４によりカウンタウェイト７を移動させることで、可動床部２２が乗りかご６や建築梁との衝突することを防止するために設けられている。従って、安全回路部２５は、可動床部２２が退避状態にあるか否かを確認している。
【００６０】
安全回路部２５は、カウンタウェイト枠７０に設けられている。安全回路部２５には、例えば、接触式のセンサが挙げられる。安全回路部２５は、可動床部２２が退避状態であるとき、即ち、可動床部２２と安全回路部２５とが接触しているとき、ＯＮ状態である信号を制御装置４に送信している。
【００６１】
一方、安全回路部２５は、可動床部２２が退避状態ではないとき、即ち、可動床部２２が安全回路部２５から離れたとき、ＯＦＦ状態である信号を制御装置４に送信している。なお、安全回路部２５は、接触式のセンサに限らず、光学式のセンサでもよい。
【００６２】
制御装置４は、安全回路部２５からＯＮ状態である信号を受信しているとき、錘用昇降スイッチ２４からの移動信号に応じてカウンタウェイト７の移動を許可している。一方、制御装置４は、安全回路部２５からＯＦＦ状態である信号を受信したとき、錘用昇降スイッチ２４からの移動信号に応じたカウンタウェイト７の移動を禁止する。
【００６３】
次に、昇降路１内で作業員が作業を行うとき、作業員が足場装置２０に乗る方法及び可動床部２２を突出状態にする方法について説明する。先ず、作業員は、エレベータの運転を点検モードに切り換える。その後、昇降路１のピットの位置までカウンタウェイト７を降下させる。
【００６４】
次に、作業員は、ピット面から棒状の工具により収納部２３１から取り出した梯子本体２３０を使用して、カウンタウェイト７の固定床部２１に乗り込む。この後、作業員は、作業の内容に応じて、可動床部２２を退避状態から突出状態にすることができる。
【００６５】
作業員が退避状態の可動床部２２を突出状態にするには、固定床２１０上から可動手摺２２１を乗りかご６側、即ち、作業員自身から離れる方向に押し出すだけでよい。また、作業員が突出状態の可動床部２２を退避状態にするには、固定床２１０上から可動手摺２２１を作業員自身に向かって引っ張り上げるだけでよい。
【００６６】
このような実施の形態１によるエレベータ用足場装置は、カウンタウェイトに設けられた固定床部と、固定床部に対して回動可能に設けられ、退避状態と突出状態との間で変化可能な可動床部とを有している。また、固定床部は、昇降路の高さ方向に沿って昇降路内を見たとき、乗りかごの領域内に重ならない位置で、カウンタウェイトに設けられている。
【００６７】
また、昇降路の高さ方向に沿って昇降路内を見たとき、退避状態の可動床部は、乗りかごの領域内に重ならないように設けられており、突出状態の可動床部は、一部が乗りかごの領域内に重なるように設けられている。
【００６８】
このような構成を備えることで、作業員が昇降路内で作業を行うとき、常設されている固定床部に乗り込むので、高所で足場装置の組立作業を行うことを無くすことができる。また、可動床部を作業内容に応じて退避状態から突出状態に変化させることができるので、昇降路内での全ての作業に対応可能にすることができる。この結果、昇降路内での全ての作業性の向上を図ることができる。
【００６９】
また、足場装置は、カウンタウェイト枠内に固定された収納部に収納された梯子本体を有している。これにより、作業員がピット面から固定床部乗り込むときの梯子を外部から持ってくる手間を省くことができる。また、ピット内に梯子の収納スペースを設ける必要を無くすことができる。
【００７０】
さらに、足場装置は、カウンタウェイト枠に設けられた錘用昇降スイッチを有している。これにより、作業員は、固定床部に乗ったまま、昇降路内を移動することができる。
【００７１】
また、足場装置は、可動床部が展開されたか否かを検出する安全回路部を有している。これにより、可動床部が展開したまま、カウンタウェイトが昇降路内を移動することを防止することができる。この結果、昇降路内の乗りかごや建築梁の損傷を防ぐことができる。
【００７２】
なお、上記実施の形態１では、足場装置２０を、乗りかご６がガラス製の窓部６ａを有する展望用エレベータに用いているが、全面が乗場壁で覆われた通常の乗りかご６を用いたエレベータに用いてもよい。このとき、固定床部２１のみで可動床部２２が設けられていなくてもよい。この場合、固定手摺２１１は、固定床２１０の全ての面を覆うように設けられている。
【００７３】
また、昇降路１内の機器類の配置は、これに限るものではなく、設計に応じて異なる。
【００７４】
また、上記実施の形態１では、可動床部２２は、固定床部２１に回動可能に設けられているが、これに限るものではない。例えば、固定床部２１から乗りかご６側にスライド移動可能なように設けられていてもよい。このようなスライド機構により退避状態と突出状態との間で変化可能な構成とすることによっても、同様の効果を得ることができる。
【符号の説明】
【００７５】
１  昇降路、４  制御装置、５  主索、６  乗りかご、７  カウンタウェイト、２０  足場装置（エレベータ用足場装置）、２１  固定床部、２２  可動床部、２３  収納式梯子、２４  錘用昇降スイッチ、２５  安全回路部。
【図１】
0006300715.tif 000002
【図２】
0006300715.tif 000003
【図３】
0006300715.tif 000004
【図４】
0006300715.tif 000005